(57)【特許請求の範囲】
【請求項１】
建物外壁の外壁パネル２間に形成される縦目地３と、横目地５のうち、両目地３及び５が交差するクロス部７を除く縦目地３にガスケット４、１１、２１が装填されると共に、上記クロス部７を含む横目地５にシーリング材６が充填されるシール構造であって、前記ガスケット端に前記クロス部７においてシーリング材６を受けるシーリング材受け部１２、１９、２２を設けたことを特徴とするシール構造。
【請求項２】
前記シーリング材受け部が前記ガスケット４、１１と直交して前記他方の目地に沿って延設されるフィルムないしシート１２、１９であることを特徴とする請求項１記載のシール構造。
【請求項３】
前記ガスケット２１が上下に複数のリップ１４、１５、１６を有し、シーリング材受け部２２が前記上下のリップ１４、１５、１６のうち、下側のリップ１６をガスケット２１の長さ方向に一定長さ延長することにより形成されることを特徴とする請求項１記載のシール構造。
【請求項４】
前記シーリング材受け部１２がシーリング材と接着しない材質であるか、或いはシーリング材受け部１９にシーリング材と接着しない材質のフィルム又はシート２０を貼着したことを特徴とする請求項２又は３記載のシール構造。
【請求項５】
前記ガスケット４、１１、２１が上下に複数のリップ４、１５、１６を有し、少なくともガスケット端における外表面のリップ１４とその下側のリップ１５間に、シーリング材６の侵入を阻む受け材１７、２３が設けられることを特徴とする請求項１ないし４のいずれかの請求項に記載のシール構造。
【発明の詳細な説明】
【技術分野】
【０００１】
本発明は、建物外壁の外壁パネル間に形成される目地のシール構造に関する。
【背景技術】
【０００２】
図１〜図３は、建物の外壁及びその構造を示すもので、外壁下地材１上に外壁パネル２が取付けられ、外壁下地材１と外壁パネル２によって形成される縦目地３にゴム又は樹脂製のガスケット４が装填されると共に、横目地５にシーリング材６が充填されている。
【発明の開示】
【発明が解決しようとする課題】
【０００３】
シーリング材６の目地への充填は従来、手作業で押込むことにより行われているが、作業能率の面からは、充填装置を用いて圧縮充填することが望まれる。しかしながら圧縮充填すると、縦目地と横目地のクロス部では、シーリング材６が目地底まで必要以上に充填されたり、ガスケット４のリップ間やガスケット下の不必要な箇所まで充填されるようになり、充填量を抑えて一定量にすると、クロス部においてはことに上述の不必要な箇所にまでシーリング材が侵入する結果、ガスケット端面への密着力が不足し、シールの信頼性が損なわれるようになる。
【０００４】
本発明の目的は、建物外壁の外壁パネル間に形成される縦目地と、横目地のうち、両目地が交差するクロス部を除く縦目地にガスケットが装填されると共に、上記クロス部を含む横目地にシーリング材が充填されるシール構造において、シールの信頼性を損なわずにシーリング材を圧縮充填することができるようなシール構造を提供しようとするものである。
【課題を解決するための手段】
【０００５】
請求項１に係る発明は、建物外壁の外壁パネル間に形成される縦目地と、横目地のうち、両目地が交差するクロス部を除く縦目地にガスケットが装填されると共に、上記クロス部を含む横目地にシーリング材が充填されるシール構造であって、前記ガスケット端に前記クロス部においてシーリング材を受けるシーリング材受け部を設けたことを特徴とする。
【０００６】
請求項２に係る発明は、請求項１に係る発明のシーリング材受け部が前記ガスケットと直交して前記他方の目地に沿って延設されるフィルムないしシートであることを特徴とする。
【０００７】
本発明のフィルムないしシートは、例えば一側中央に突片を突出形成して、該突片でガスケット端に接着剤や粘着テープを用いて接着することにより、或いはヒータで熱融着することにより取付けることができる。なお、フィルムないしシートの幅は、他方の目地と同一幅をなすことが望ましいが、目地幅より若干狭くても広くてもよい。
【０００８】
請求項３に係る発明は、請求項１に係る発明のガスケットが上下に複数のリップを有し、シーリング材受け部が下側、好ましくは最下部の奥リップをガスケットの長さ方向に一定長さ延長することにより形成されることを特徴とする。
【０００９】
請求項４に係る発明は、請求項２又は３に係る発明において、シーリング材受け部がシーリング材と接着しない材質であるか、或いはシーリング材受け部にシーリング材と接着しない材質のフィルム又はシートを貼着したことを特徴とする。
【００１０】
本発明において、シーリング材と接着しない材質としては、シーリング材に例えばウレタン系シーリング材や変成シリコーン系シーリング材を用いた場合においては、ポリエチレン、ポリアセタール等を例示することができる。
【００１１】
請求項５に係る発明は、請求項１〜４に係る発明において、ガスケットが上下に複数のリップを有し、少なくともガスケット端における外表面のリップとその下側のリップ間に、シーリング材の侵入を阻む受け材が設けられることを特徴とする。
【発明の効果】
【００１２】
請求項１に係る発明によると、シーリング材は圧縮充填してもシーリング材受け部に阻まれてクロス部の底部やガスケット下の不必要な箇所まで充填されることがなくなり、シーリング材受け部に達するほどの一定量の充填を行うことで、シーリング材受け部及びガスケット端面に密着してシール性を確保することができる。また横目地に充填されるシーリング材がシーリング材受け部上に充填されることにより、ガスケット端の浮き上がりが抑えられ、ガスケットの目地からの浮き上がりを防ぐこともできる。
【００１３】
請求項２に係る発明のシーリング材受け部は、ガスケットに接着により、或いはヒータを用いて熱融着することにより簡易に取り付けることができ、請求項３に係る発明のシーリング材受け部は、既存のガスケットでも中央の柱部やその両側の不要のリップをガスケット端から一定長さ切除することにより簡易に得ることができる。
【００１４】
シーリング材は、ガスケット端に接着して外壁パネルの収縮により目地幅が拡大するようなことがあっても、ガスケット端との間に隙間ができないようにすることが望まれるが（隙間ができると、この隙間より水漏れを生ずるおそれがある）、シーリング材がシーリング材受け部と上下のガスケット端面とに三面接着されていると、目地幅が拡大したとき、シーリング材とシーリング材受け部との接着力がシーリング材とガスケット端面との接着力よりも勝り、これによりガスケット端面との間に隙間ができるおそれがある。この点、請求項４に係る発明のように、シーリング材がシーリング材受け部と接着されないようにしてあると、例え目地幅が拡大するようなことがあっても、ガスケット端面との接着が維持されてガスケット端面との間に隙間ができることがなく、クロス部でのシール効果を維持することができる。
【００１５】
請求項５に係る発明によると、シーリング材の圧縮充填に際し、シーリング材が充填され易い外表面のリップとその下側のリップ間には、シーリング材が充填されず、またシーリング材は受け材と密着してガスケット端面へのシール圧が上がることによりシール性の信頼性をより一層向上させることができる。また、雨水が外表面のリップを潜り抜けて浸入し、リップ間を流れ落ちるようなことがあっても受け材で止水することができるようになる。
【発明を実施するための最良の形態】
【００１６】
以下、本発明の実施形態のシール構造に用いるガスケットについて図面により説明する。図中、図１〜図３に示すものと同一構造部分には同一符号を付してある。
【００１７】
図４は、ガスケット１１と、ガスケット端に取り付けられ、シーリング材受け部となるシート１２を示すもので、ガスケット１１は図２に示すガスケット４と同様、柱部１３と、柱部１３の上端に側方に向けて突出形成される外表面リップ１４と、柱部１３の中間より側方に向けて突出形成される中リップ１５と、柱部１３の下端に側方に向けて突出形成される奥リップ１６よりなり、更に柱部両側の外表面リップ１４と中リップ１５間、更には中リップ１５と奥リップ１６間にそれぞれ隙間なく装填されて、接着材にて接着されるゴム又は樹脂製をなす受け材としての発泡体１７を有し、また、奥リップ１６の底面には図示していないが、両面粘着テープが取付けられている。なお、前記受け材としては、発泡体１７に代えて外表面リップ１４と中リップ１５の間を覆うようにガスケット端面に貼着されるフィルムを用いてもよい。
【００１８】
一方、シーリング材受け部となるシート１２は、図１に示すようなシーリング材６が充填される横目地５と同一幅をなすゴム又は樹脂製、好ましくはシーリング材６と接着しない材質のシート、例えばシーリング材６がウレタン系或いは変成シリコーン系のシーリング材である場合、ポリエチレン製又はポリアセタール製のシートで、その一側中央部には、突片１８が突出形成されている。図５に示すシート１９は、シーリング材６との接着性を有するゴム又は樹脂製或いは布帛よりなるもので、表面にはポリエチレン又はポリアセタール製のフィルム２０が貼付されている。
【００１９】
施工時においては、シート１２の突片１８をガスケット１１の奥リップ底面に両面粘着テープにより接着し、シート１２をガスケット端の延長上にガスケット１１と直交する方向に取り付けてシーリング材受け部としたのち、図６に示すように縦目地３にガスケット端面が外壁パネル２の下端面と揃うようにして装填する。そしてシート中央部を縦目地３と横目地５のクロス部７(図1参照)に押込んで奥リップ１６と同程度のレベルとなるようにし、かつシート１２の両側をクロス部両側の横目地内に延ばして外壁下地材１上に押込む。そして図示していないが、上記クロス部７を挟んで下側の縦目地３にもガスケット１１を装填したのち、クロス部７を含む横目地５にシーリング材６を充填装置を用いて圧縮充填する。図７は、シーリング材を充填した図６の７−７線断面を示すもので、クロス部７においては、シーリング材６がクロス部７に面するガスケット端面と発泡体１７及びシーリング材受け部としてのシート１２で囲まれる箇所に充填され、これらに密着してシールするようになっている。
【００２０】
図８に示すガスケット２１は、図４に示すガスケット１１の端部を端面から一定長さ、奥リップ１６を残して切除したもので、前述したガスケット１１と同様、外表面リップ１４と中リップ１５間及び中リップ１５と奥リップ１６間にはそれぞれゴム又は樹脂製をなす受け材としての発泡体２３が装填されて取付けられ、一定長さ突出する奥リップ１６がシーリング材受け部２２となっている。
【００２１】
図９は、図８に示すガスケット２１のシーリング材受け部２２にポリエチレン又はポリアセタール製のフィルム２４を貼着したものである。
【００２２】
図１０は、図８に示すガスケット２１を縦目地３に装着した状態を示すものであり、図１１は、クロス部においてシーリング材６がクロス部７に面するガスケット端面と発泡体及びシーリング材受け部２２で囲まれる箇所に充填された態様を示している。
【産業上の利用可能性】
【００２３】
本発明は、建物外壁の外壁パネル間に縦及び横方向に形成される目地の目地構造に適用される。
【図面の簡単な説明】
【００２４】
【図１】建物外壁の要部の正面図。
【図２】図１の２−２線断面図。
【図３】同３−３線断面図。
【図４】ガスケット端部及びシートの斜視図。
【図５】シートの別の例を示す斜視図。
【図６】縦目地にガスケットを装着した要部の斜視図。
【図７】図６の７−７線断面図。
【図８】ガスケットの要部の斜視図。
【図９】ガスケットの別の例の要部の斜視図。
【図１０】縦目地にガスケットを装着した要部の斜視図。
【図１１】図１０の１１−１１線断面図。
【符号の説明】
【００２５】
１・・外壁下地材
２・・外壁パネル
３・・縦目地
４、１１、２１・・ガスケット
５・・横目地
６・・シーリング材
７・・クロス部
１２、１９・・シート
１３・・柱部
１４・・外表面リップ
１５・・中リップ
１６・・奥リップ
１７、２３・・発泡体
１８・・突片
２０、２４・・フィルム
２２・・シーリング材受け部
【図１】
0004804069.tif 000002
【図２】
0004804069.tif 000003
【図３】
0004804069.tif 000004
【図４】
0004804069.tif 000005
【図５】
0004804069.tif 000006
【図６】
0004804069.tif 000007
【図７】
0004804069.tif 000008
【図８】
0004804069.tif 000009
【図９】
0004804069.tif 000010
【図１０】
0004804069.tif 000011
【図１１】
0004804069.tif 000012